(57)【特許請求の範囲】
【請求項１】
日よけ（１）であって、布地ロール（３）に巻き上げ可能な日よけ布（２）と、当該日よけ布（２）の外側自由端に配設され、上記日除け布と結合されたフロントバー（４）を備えて成る日よけにおいて、
上記フロントバー（４）が少なくとも１つの、ほぼ水平あるいは前方に傾斜した第１の旋回軸線（ＳＡ）を有する旋回ジョイント（７）を備えること、そして上記第１の旋回軸線（ＳＡ）によって上記フロントバー（４）が上向きに、あるいは下向きに折り曲げられ得ることを特徴とする日よけ。
【請求項２】
旋回ジョイント（７）がヒンジ形状であることを特徴とする、請求項１に記載の日よけ。
【請求項３】
日よけ（１）あるいはフロントバー（４）が繰り出された状態では、フロントバー（４）が自動的に、第１の旋回軸線（ＳＡ）周りに切妻屋根のように上向きに、あるいは下向きに折り曲げられること、そして日よけ（１）あるいはフロントバー（４）が引き込まれた状態では、フロントバー（４）が真っ直ぐに伸びた位置にもたらされるように、フロントバー（４）を日除け取付基部に連結する連結手段が備えられていることを特徴とする、請求項１に記載の日よけ。
【請求項４】
上記連結手段が、傾斜した第２の旋回軸線（１４）周りを少なくとも部分的に旋回可能な関節式アーム又は関節式アーム部分（９，１０）により形成されることを特徴とする、請求項３に記載の日よけ。
【請求項５】
第２の旋回軸線（１４）が両アーム部分に対して傾斜し、繰り出された状態では、外側関節式アーム部分（１０）が鉛直面に対し内側あるいは外側へ角度αだけ傾斜するように、内側及び外側関節式アーム部分（９，１０）は旋回ジョイント（１２）を介して第２の旋回軸線（１４）と連結されて、その結果、夫々の関節式アーム部分（９あるいは１０）に固定されたフロントバー（４）の部分（５あるいは６）が、これに伴い水平面に対し角度αだけ傾斜することを特徴とする、請求項４に記載の日よけ。
【請求項６】
外側及び内側関節式アーム部分（９あるいは１０）の間で、旋回ジョイント（１２）の第２の旋回軸線（１４）が、内側及び外側関節式アーム部分（９あるいは１０）の縦中央軸線（１５あるいは１６）から外れて、旋回ジョイントのオフセット屈曲部（１７）に配置されていることを特徴とする、請求項５に記載の日よけ。
【請求項７】
外側関節式アーム部分（１０）とフロントバー（４）の間に自在継ぎ手が形成され、当該自在継ぎ手は旋回支持ピン（２１）に貫通される軸受孔（２０）と、水平な支持ピン（２４）のための支持環（２３）とから構成されており、当該自在継ぎ手の水平支持ピン（２４）回りの旋回運動が、フロントバー（４）の突出部（２５，２６）で且つ旋回支持ピン（２１）にて、孔（３０，３１）に挿入可能な止めピン（２９）から成る制動手段により遮断され、また当該制動手段を外すことで解放されることを特徴とする、請求項５に記載の日よけ。
【発明の詳細な説明】
【０００１】
【発明の属する技術分野及び従来の技術】
本発明は、日よけ乃至オーニング、特に関節式アーム（ジョイントアーム）日よけであって、布地ロールに巻き上げ可能な日よけ布と、日よけ布の外側自由端に配設され、これと結合されたフロントバー（降下部）を備えて成る日よけに関するものである。
【０００２】
この種の日よけでは、繰り出された状態において、特に激しい雨に際し、雨水は規定された通りに連続して流れ落ちるのではなく、日よけ布を膨らませ、それに伴いフロントバー手前の領域に水たまりが形成され、レバーアームがかなり高い位置にあるため、この水たまりが日よけ構造にとって大きな負担となるという問題がある。その上更に、水は細かいゴミを伴って流れるが、この汚れの粒子もまた水と共に流れ落ちないので、溜まった水が乾いた後に、目障りなシミ（汚れ）となって残る可能性がある。
【０００３】
【発明が解決しようとする課題】
そこで本発明の根底をなす課題は、冒頭に述べた種類の日よけを、水たまりが形成されるのを回避しながら、均一な流水を達成し、同時に新しいデザインの可能性の道を開くことにある。
【０００４】
【課題を解決するための手段】
この課題は本発明に従い、フロントバーが少なくとも１つの、ほぼ水平な旋回軸線を有する旋回ジョイント（継ぎ手）を備えること、そして上記旋回軸線によって上記フロントバーが上向きに、あるいは下向きに折り曲げられ得ることにより解決される。ここで云う「ほぼ水平」とは、この種の日よけで一般的な前方への、例えば30度の傾斜が考えられる。旋回軸線によってフロントバーを、例えば中央で上方あるいは下方へ、折り曲げることが可能となることで、フロントバーに固定された日よけ布に相応する折れ目をつけることが可能である。その結果、雨水は山折（上向きの折り目）の場合には、切妻屋根の場合と同様に、横手方向へ流れ落ち、また谷折（下向きの折り目）の場合には水平な旋回軸線の領域に規定された通りに流れ落ちる。旋回ジョイントがヒンジ式であり、充分な剛性を備えていれば有利である。
【０００５】
日よけが繰り出された状態では、日よけが水平な旋回軸線周回において、切妻屋根のように上向きに、あるいは下向きに折り曲げられ、そしてまた日よけあるいはフロントバーが引き込まれた状態では、フロントバーが真っ直ぐに伸びた位置にくるように、フロントバーを建物壁面などの日除け取付基部に連結する連結手段（継ぎ手、coupling means）が配設されていれば有利である。従って、フロントバーを折り曲げた状態を創出するために、個別の行動は必要とされない。
【０００６】
勿論、本発明の範囲において、自動的に折り曲げることを放棄し、水平な旋回ジョイントの領域に制動手段（locking means）を設け、その制動手段を解除した場合のみ折り曲げた状態を創出することも可能である。
【０００７】
別の実施形態では、連結手段がケーブル牽引機構（cable pull mechanism）により形成されていても良い。このケーブル牽引機構は関節式アーム部分に係合し、フロントバーの折り曲げを行う。ここで云うケーブル牽引機構の「ケーブル」とは、広義における、しなやかな動力伝達手段と解釈されるべきであり、例えば当然、ベルト、ストラップ、チェーン等々も考慮に入れられる。
【０００８】
更に別の実施形態においては、連結手段が、ほぼ水平な旋回軸線周回において、少なくとも部分的に、旋回可能に支承された関節式アーム部分により形成されることが考えられる。その結果、この旋回運動は各フロントバー部分に伝達可能であり、またこれによりフロントバーが折り曲げられる。
【０００９】
夫々の外側関節式アーム部分が自在継ぎ手（ユニバーサル・ジョイント）を介してフロントバーと連結されているならば、この自在継ぎ手を、例えばピンを用いて、選択的に遮断（ブロック）し、あるいは解放することが可能である。遮断することでフロントバーは折り曲げられ、また解放することで折り曲げは阻止される。
【００１０】
この時、外側関節式アーム部分と内側関節式アーム部分の間に配設されている旋回ジョイントが、鉛直面に対して傾斜して、且つ、有利には、内側及び外側関節式アーム部分の縦中央軸線から外れて、また望ましくは、オフセット屈曲部（offset curvature/Auskroepfung）に置かれている旋回軸線を備えていれば好都合である。
【００１１】
本発明に従うデザインにより、支障のない水の流出が達成されるだけではない。これにより更に、斬新なデザインの可能性が開かれ、日よけに、例えば切妻屋根に似た形状を採用することができる。例を挙げれば、デパートのショーウィンドーの正面にこの種の多数の日よけを横並びに配置したとすると、例えば、切妻屋根のように山折になった日よけだけを用いても良いし、山折と谷折の交互に並べて配置し、ギザギザ（鋸歯状）の構成を作りすことも出来る。
【００１２】
【発明の実施の形態】
以下に、本発明を、好適な実施例を基に図面を用いて詳細に説明する。
図示された関節式アーム日よけ１は日よけ布２を備えて成り、該日よけ布は先ず、その後方端部をもって、布地ロール３に巻き上げ可能である。日よけ布２の外側自由端はフロントバー４に連結されている。本実施例においては、該フロントバーは２つの部分（セクション）５，６を備えて成り、ヒンジのような旋回ジョイント７を介して互いに連結されている。旋回ジョイントは、図１に従う実施例では、繰り出された状態において、フロントバー部分５，６が上方へ折り曲げられるように（図３参照）、また図２に従う実施例では、繰り出された状態において、フロントバー部分５，６が下方へ折り曲げられるように（図４参照）形成されている。
【００１３】
フロントバー４、及びこれに付随する日よけ布２の繰り出しは、関節式アーム８を介して行われる。各関節式アームは内側関節式アーム部分９と外側関節式アーム部分１０から成っている。
【００１４】
内側関節式アーム部分９は壁側で、垂直旋回軸線１１を有する旋回軸受の周りに旋回可能に支承され（旋回軸受など、及び壁面保持具は図示されない）、また旋回軸線１４を有する旋回ジョイント１２を介して外側関節式アーム部分１０に連結されている。
【００１５】
旋回軸線１４は内側関節式アーム部分９のオフセット屈曲部１７において、内側関節式アーム部分９及び外側関節式アーム部分１０の縦中央軸線１５及び１６から外れた位置にあり、上記オフセット屈曲部１７は内側関節式アーム部分９にしっかりと固定されている。更に、旋回軸線１４は縦中央軸線１５と１６に直交する面の角二等分線上に位置する。
【００１６】
図５から明らかなように、外側関節式アーム部１０の外側端部１８は、フロントバー４にジンバル取り付けによって（by gimbal mounting、カルダン式に旋回可能に）連結されている。外側関節式アーム１０の外側端部１８は、軸受孔２０を有する突出部１９を備え、旋回支持ピン（swivel pin, Schwenklagerbolzen）２１がこの軸受孔を貫通し、固定ナット２２がピンを下方からしっかりと締め付けている。また一方で、ピンの上面には更に、水平な支持ピン２４のための支持環（support eye）２３が配設されている。該支持ピンは支持環２３の両側で、フロントバー４の突出部２５，２６において支持され、側方キャップ２７，２８を介して固定されている。
【００１７】
前述した形態の効果は図７から図１０の関連の中で明らかとなろう。
【００１８】
図７に図示されるように、内側関節式アーム部分９及び外側関節式アーム部分１０は、引き込まれた状態では、互いに平行に延び、また繰り出す際には、外側関節式アーム部分１０は内側関節式アーム部分９に対して角度αだけ旋回する。その結果、これに夫々固定されているフロントバー４の部分５あるいは６は、同様に（図１及び図３に従う実施例によれば）上方へ、あるいは（図２及び図４に従う実施例によれば）下方へ旋回される。
【００１９】
突出部２５，２６は止めピン２９のための孔３０を有する。ピンを差し込んだ状態において、この止めピンは旋回支持ピン２１の孔をも貫通し、これにより水平な支持ピン２４周りの旋回運動を阻止する。自在継ぎ手がこのようにして阻止された場合、図８及び図９に図示されるように、外側関節式アーム１０の旋回運動はフロントバー４の各部分６に伝えられる一方、図１０及び図１１に図示された解放状態では、フロントバー４は折り曲げられない。
【図面の簡単な説明】
【図１】本発明に従う、中央で上方に折り曲げ可能なフロントバーを備える日よけの該略図である。
【図２】中央で下方に折り曲げ可能なフロントバーを備えた実施例の、図１に対応する平面図である。
【図３】図１における部分Ｘの図である。
【図４】図２における部分Ｙの図である。
【図５】繰り出された状態の関節式アームの斜視図である。
【図６】引き込まれた状態において自在継ぎ手が遮断された場合の、フロントバーの断面図である。
【図７】フロントバーを正面から見た場合の、図６に対応する図である。
【図８】図６に対応する、繰り出された状態における図である。
【図９】図７に対応する、繰り出された状態においてフロントバー部分が傾斜した図である。
【図１０】図６に対応する自在継ぎ手が解放された場合の図である。
【図１１】図９に対応する、自在継ぎ手が解放された状態、従ってフロントバー部分が傾斜しない図である。
【符号の説明】
１            関節式アーム日よけ
２            日よけ布
３            布地ロール
４            フロントバー
５，６        フロントバー部分
７            旋回ジョイント
８            関節式アーム
９            内側関節式アーム部分
１０            外側関節式アーム部分
１４            旋回軸線
【図１】
0004362280.tif 000002
【図２】
0004362280.tif 000003
【図３】
0004362280.tif 000004
【図４】
0004362280.tif 000005
【図５】
0004362280.tif 000006
【図６】
0004362280.tif 000007
【図７】
0004362280.tif 000008
【図８】
0004362280.tif 000009
【図９】
0004362280.tif 000010
【図１０】
0004362280.tif 000011
【図１１】
0004362280.tif 000012